(57)【要約】  【課題】ベースと最下段の陳列棚の間の陳列空間に置かれた商品陳列用台車の陳列面を、簡易にしかも低コストで前後方向に区画でき、且つ陳列の演出を高めることができる商品陳列台車を提供すること。  【解決手段】商品を載せる板状の台車本体１と、台車本体１の裏面に付設されるキャスター３を有し、台車本体１の天面１１の一部または全域に亘り、縦溝１２と横溝１３が所定の間隔で碁盤目状に多数形成されるものであって、ベース２９と最下段の陳列棚２５の間に陳列空間２４を有する商品陳列棚２０の陳列空間２４に置かれる商品陳列台車１０。【選択図】  図９
0003112003.tif 000002
【実用新案登録請求の範囲】
【請求項１】
商品を載せる板状の台車本体と、該台車本体の裏面に付設されるキャスターを有し、前記台車本体の天面の一部または全域に亘り、縦溝と横溝が所定の間隔で碁盤目状に多数形成されるものであって、ベースと最下段の陳列棚の間に陳列空間を有する商品陳列棚の該陳列空間に置かれることを特徴とする商品陳列台車。
【請求項２】
陳列商品を左右に区画する第１商品仕切り板の１又は２以上が、前記縦溝に設置され、陳列商品を前後に区画する第２商品仕切り板の１又は２以上が、前記横溝に設置されることを特徴とする請求項１記載の商品陳列台車。
【請求項３】
前記横溝が、前記第２商品仕切り板が天面に対して直立姿勢をとる垂直溝であるか、天面に対して傾斜姿勢をとる傾斜溝であるか、または該垂直溝と該傾斜溝を交互に配した組み合わせ溝であることを特徴とする請求項１又は２記載の商品陳列台車。
【請求項４】
前記横溝が、垂直溝内に傾斜溝が形成される複合溝であることを特徴とする請求項１又は２項に記載の商品陳列台車。
【請求項５】
前記第１商品仕切り板及び第２商品仕切り板をそれぞれ２以上使用して、該台車本体の天面上に囲み部を形成することを特徴とする請求項１〜４のいずれか１項に記載の商品陳列台車。
【請求項６】
前記台車本体の天面の周縁四方に、商品転倒防止用枠部材が嵌合する嵌合穴が多数形成されていることを特徴とする請求項１〜５のいずれか１項に記載の商品陳列台車。
【請求項７】
ベースと最下段の陳列棚の間に陳列空間を有する商品陳列棚と、
当該陳列空間に置かれる請求項１〜６のいずれか１項記載の商品陳列台車と、からなることを特徴とする商品陳列棚セット。
【考案の詳細な説明】
【技術分野】
【０００１】
本考案は、スーパー、百貨店、ホームセンターなどで使用される商品陳列台車及び商品陳列棚セットに関するものである。
【背景技術】
【０００２】
スーパー、百貨店、ホームセンターなどにおいて商品を陳列する方法には種々の陳列形態がある。特開平１１−１１３６４３号公報には、商品陳列棚のベース部内に通路を形成し、同通路に商品陳列用台車を入れて、その上に乗せた複数の商品をベース部内の手前から奥の方向に陳列し、ベース部内手前の商品が売れたら、残りの商品を乗せたまま台車をベース部の通路外へ引き出し、反転させて、同通路内へ戻すことにより、台車上に残る商品をベース部の奥からベース部の手前に入れ替えるスーパーマーケットの商品陳列方法が開示されている。この商品陳列方法で使用される商品陳列用台車は、商品を乗せる台盤状の台車本体の各隅角部下面にキャスターを取り付けると共に、同台車本体の中央部下面に補助キャスターを取り付けたものである（図１２参照）。
【０００３】
この商品陳列用台車を用いたスーパーマーケットの商品陳列方法は、商品を乗せる台盤状の台車本体の各隅角部下面に付設されたキャスターにより、商品陳列用台車がベース上を自在に移動できるため、商品のベース部奥からベース部手前への入れ替え作業を女性作業員でも容易に行うことができる。
【考案の開示】
【考案が解決しようとする課題】
【０００４】
しかしながら、前記スーパーマーケットの商品陳列方法は、商品陳列用台車が僅かな外力によりベース上を自在に移動できるため、上記効果をもたらす一方で、陳列面上での商品の転倒や陳列面からの商品の転落などが少なからず発生するという問題がある。一方、近年、商品の陳列を、簡易な方法で、消費者の購買意欲を高めるように効果的に演出する要求は止まるところを知らない。商品陳列用台車においても、単に商品を載せるだけでは陳列の演出効果に欠ける。そこで、商品陳列用台車の商品陳列方法において、商品仕切り板を利用した従来には無い、効果的な陳列の演出ができる商品陳列台車の開発が望まれていた。
【０００５】
従って、本考案の目的は、ベースと最下段の陳列棚の間の陳列空間に置かれた商品陳列台車の陳列面を、簡易にしかも低コストで前後方向に区画でき、且つ陳列の演出を高めることができる商品陳列台車を提供することにある。
【課題を解決するための手段】
【０００６】
かかる実情において、本考案者は鋭意検討を行った結果、台車本体の天面の一部または全域に亘り、縦溝と横溝が所定の間隔で碁盤目状に多数形成させれば、ベースと最下段の陳列棚の間の陳列空間に置かれた商品陳列台車の陳列面を、簡易にしかも低コストで前後方向に区画でき、且つ商品の陳列の演出を高めることができることなどを見出し、本考案を完成するに至った。
【０００７】
すなわち、本考案は、商品を載せる板状の台車本体と、該台車本体の裏面に付設されるキャスターを有し、前記台車本体の天面の一部または全域に亘り、縦溝と横溝が所定の間隔で碁盤目状に多数形成されるものであって、ベースと最下段の陳列棚の間に陳列空間を有する商品陳列棚の該陳列空間に置かれる商品陳列台車を提供するものである。
【０００８】
また、本考案は、陳列商品を左右に区画する第１商品仕切り板の１又は２以上が、前記縦溝に設置され、陳列商品を前後に区画する第２商品仕切り板の１又は２以上が、前記横溝に設置される前記商品陳列台車を提供するものである。
【０００９】
また、本考案は、前記横溝が、前記第２商品仕切り板が天面に対して直立姿勢をとる垂直溝であるか、天面に対して傾斜姿勢をとる傾斜溝であるか、または該垂直溝と該傾斜溝を交互に配した組み合わせ溝である前記商品陳列台車を提供するものである。
【００１０】
また、本考案は、前記横溝が、垂直溝内に傾斜溝が形成される複合溝である前記商品陳列台車を提供するものである。また、本考案は、前記第１商品仕切り板及び第２商品仕切り板をそれぞれ２以上使用して、該台車本体の天面上に囲み部を形成する前記商品陳列台車を提供するものである。また、本考案は、前記台車本体の天面の周縁四方に、商品転倒防止用枠部材が嵌合する嵌合穴が多数形成されている前記商品陳列台車を提供するものである。また、本考案は、ベースと最下段の陳列棚の間に陳列空間を有する商品陳列棚と、当該陳列空間に置かれる前記商品陳列台車と、からなる商品陳列棚セットを提供するものである。
【考案の効果】
【００１１】
本考案の商品陳列台車によれば、別途の専用の嵌め込み部品や専用仕切りパーツを使用することなく、通常の板状の商品仕切り板を使用して、陳列面を左右方向及び前後方向共に同時に区画できる。また、複数の商品仕切り板を全て同一形状物のものを使用すれば、コストを低減でき、また保管も容易である。また、第１商品仕切り板と第２商品仕切り板をそれぞれ２以上使用して、ボード本体の天面上に囲み部を形成すれば、陳列の演出を高めることができる。
【考案を実施するための最良の形態】
【００１２】
次に、本考案の実施の形態における商品陳列台車を図１〜図４を参照して説明する。図１は本例の商品陳列台車の概略斜視図、図２は図１の商品陳列台を斜め後方から見た概略斜視図、図３及び図４は横溝の溝穴形状を説明する断面図である。図３及び図４中、符号Ｘは前方側を示す。商品陳列台車１０は、商品を載せる板状の台車本体１と、台車本体１の裏面に付設されるキャスター３を有し、台車本体１の天面１１の後方部分には縦溝１２と横溝１３が所定の間隔で碁盤目状に多数形成され、前方部分には横溝が省略され縦溝１２のみが形成されている。縦溝１２と横溝１３は天面１１の両端縁まで形成され、周縁四方は、４辺の縦溝と横溝により周回溝１４を形成している。周回溝１４に例えば商品仕切り板を付設すれば、商品の転落を防止することができる。本明細書において、「前」とは、通路側あるいは顧客側を言い、「後」とはその反対側を言う。
【００１３】
縦溝１２には陳列商品を左右に区画する第１商品仕切り板４の１又は２以上が設置され、横溝１３には陳列商品を前後に区画する第２商品仕切り板５の１又は２以上が設置される。天面１１に形成された横溝１３は、第２商品仕切り板５が天面１１に対して直立姿勢をとる垂直溝１３ａであるか、天面１１に対して傾斜姿勢をとる傾斜溝１３ｂであるか、または垂直溝１３ａと傾斜溝１３ｂを交互に配した組み合わせ溝とすることもできる(図３参照)。傾斜溝１３ｂは設置された第２商品仕切り板５が前方下り傾斜となるように付設されたものが陳列商品が顧客の目からよく見える点で好適である。また、天面１１に形成された横溝１３は、垂直溝内に傾斜溝が形成される複合溝１３ｃとすることもできる（図４参照）。複合溝１３ｃはひとつの溝に第２商品仕切り板５の差し込み方向を変えるだけで、垂直姿勢を採ることも傾斜姿勢を採ることもできるため好適である。
【００１４】
なお、台車本体１の天面１１における縦溝と横溝の配置形態としては、上記形態に限定されず、全面が碁盤目状であってもよいし、左側または右側のみが碁盤目状であってもよい。
【００１５】
また、台車本体１は、前方端に商品名や価格表示を行う凹部断面のＰＯＳレール２１１と、ＰＯＳレール２１１の下方に手指が挿入される凹状で左右方向に延出する取っ手１５（図１では凹状形状は見えない）と、取っ手１５の下方に付設されたスカート部２を有する。取っ手１５は任意の構成要素であり、顧客からは見えないものでありながら、作業者による商品陳列台車１０の移動を容易にする。また、スカート部２も任意の構成要素であり、スカート部２の長さはベース（床面）近くまで延びており、キャスター３を顧客から見えないようにしている。
【００１６】
天面１１の周回溝１４の外側且つその近接位置には同一方向に所定のピッチで多数の商品転倒防止用枠部材７が嵌合する嵌合穴１６が形成されている。嵌合穴１６に商品転倒防止用枠部材７を付設することにより、陳列商品の転落を防止でき、作業者による商品陳列台車１０の移動を容易にする（図７参照）。嵌合穴１６の設置数、ピッチ等は適宜決定される。
【００１７】
台車本体１の「板状」とは、その意味を広く解するものであって、図１に示すような商品転倒防止用枠部材７が嵌合する嵌合穴１６が形成されたものを含むのは勿論、表面に滑り部材が付設されたもの、コーナー部が丸みを有するものなど、公知の形状を含むものである。台車本体の縦長さ及び横長さは、通常、設置場所であるベースと最下段の陳列棚の間に形成される陳列空間の奥行き寸法又は幅寸法により適宜決定される。
【００１８】
台車本体１の裏面に付設されるキャスター３としては、公知のものが使用できる。設置個数も特に制限されず、通常２〜６個の範囲で適宜決定される。また、キャスター３は固定キャスター又は自在キャスター、あるいはこれを組み合わせたものが使用できる。
【００１９】
本考案において、台車本体１の後側面１９のポケット１７にマグネット１８を付設することが好ましい。マグネット１８としては、特に制限されず、公知のものが使用される。マグネット１８は、陳列状態において商品陳列台車が商品陳列棚に固定され、常に前方端が揃った状態とすると共に、商品を補充するために、陳列空間外へ移動させる際、容易にその固定を解除できる程度のマグネット力を有する。マグネット１８は、通常、商品陳列棚２０の後方下枠部材２３にくっ付くため、商品陳列台車１０の最後尾の部材となる（図９参照）。このため、図１に示すように、台車本体１の後側面１９が平面状である場合は、そのまま設置すればよく（図２）、例えば突起部材などがある場合、マグネット１８を後方へ突出するような形態で取り付ければよい。また、台車本体１の後端面１９の位置が商品陳列棚２０の後方下方枠部材２３より高い場合、マグネット１８は後側面１９から下方へ突出するような形態で取り付けてもよい。
【００２０】
次に、台車本体１の天面１１に第１商品仕切り板４及び第２商品仕切り板５を組み込んだ例を図５〜図８を参照して説明する。各図の（Ａ）は台車本体１に第１商品仕切り板４及び第２商品仕切り板５を組み込む前の図、（Ｂ）及び（Ｃ）は台車本体１に第１商品仕切り板４及び第２商品仕切り板５などを組み込んだ後の図をそれぞれ示す。但し、図７及び図８は（Ａ）図中の商品仕切り板の記載を省略した。図５の商品陳列台車は、図１の商品陳列台車と同じであり、天面１１の横溝１３の中、最前列の横溝１３は傾斜溝１３ｂ又は複合溝１３ｃであり、同じ形状の２つの第１商品仕切り板４と同じ形状の２つの第２商品仕切り板５を使用するものである。第１商品仕切り板４のうち１つは最前列の横溝１３に装着される。図５の商品陳列台車によれば、２つの陳列コーナーを形成することができる。
【００２１】
図６の商品陳列台車は、図１の商品陳列台車と同じであり、天面１１の横溝１３はすべて垂直溝１３ａか、あるいは複合溝１３ｃであり、同じ形状の２つの第１商品仕切り板４ａと同じ形状の２つの第２商品仕切り板５を使用するものである。第１商品仕切り板４ａはく字形状の断面を有し、下方部は横溝１３に嵌め込まれ、上方部は後方傾斜姿勢をとり陳列商品の背もたれとなるものである。図５の商品陳列台車によれば、背もたれ機能を備える２つの陳列コーナーを形成することができる。
【００２２】
図７の商品陳列台車における商品仕切り板の使用方法は図５および図６と同様であり、その説明を省略する。図７の商品陳列台車は、図１の商品陳列台車と同じであり、台車本体１に商品転倒防止用枠部材７を組み込むものである。商品転倒防止用枠部材７としては、特に制限されないが、本例では横線材と縦線材の組み合わせにより本体部７２と縦線材が下方に突出することで形成される脚部７１とからなる。商品転倒防止用枠部材７の脚部７１が、天面１１の周縁の４辺に形成された嵌合穴１６に嵌められる。図７の商品陳列台車によれば、商品の転落防止機能を備える陳列面を形成することができる。
【００２３】
図８の商品陳列台車における商品仕切り板の使用方法は図５および図６と同様であり、その説明を省略する。図８の商品陳列台車は、図１の商品陳列台車と同じであり、台車本体１に商品転倒防止用の仕切り板４、５を組み込むものである。すなわち、商品転倒防止用仕切り板４、５を、天面１１の周縁の４辺に形成された周溝１４に嵌め込む。図８の商品陳列台車によれば、商品の転落防止機能を備える陳列面を形成することができる。
【００２４】
次に、本考案の実施の形態における商品陳列棚セットを図９〜図１１を参照して説明する。図９は本例の商品陳列棚セットの概略斜視図、図１０及び図１１は本例の商品陳列棚セットの他の概略斜視図である。商品陳列棚セット３０は、商品陳列棚２０及び商品陳列台車１０から構成される。商品陳列棚２０は、既存のゴンドラ状の商品陳列棚が使用でき、例えば床面などのベース２９と最下段の陳列棚２５の間に形成される陳列空間２４と、支柱２１と、支柱２１の下側部分から前方へ延出する下方側方枠部材２２と、支柱２１の下側部分から横方向へ延出する下方後方枠部材２３と、上下複数段の陳列棚２５〜２８からなる。また、図９では省略するが、通常、陳列空間２４に隣接する陳列空間２４ａにも商品陳列台車１０が置かれる。
【００２５】
商品陳列棚セット３０は次のように使用される。先ず、台車本体１上に第１商品仕切り板４及び第２商品仕切り板５を設置する。次いで、商品仕切り板で区画された陳列面に商品を陳列する。通常、商品が陳列された商品陳列台車１０を複数個準備する。次いで、商品陳列台車１０を商品陳列棚２０の陳列空間２４に隣接して順次、置いていく。商品陳列台車１０は、別途の専用の嵌め込み部品や専用仕切りパーツを使用することなく通常の板状の商品仕切り板を使用することができる。また、陳列面は縦溝と横溝の碁盤目を形成しており、左右方向及び前後方向共に同時に区画できる。また、複数の商品仕切り板を全て同一形状物のものを使用すれば、コストを低減でき、また保管も容易である。また、第１商品仕切り板と第２商品仕切り板をそれぞれ２以上使用して、ボード本体の天面上に囲み部を形成すれば、陳列の演出を高めることができる。
【図面の簡単な説明】
【００２６】
【図１】本例の商品陳列台車の概略斜視図である。
【図２】図１の商品陳列台車を斜め後方から見た概略斜視図である。
【図３】横溝の溝穴形状を説明する図である。
【図４】横溝の他の溝穴形状を説明する図である。
【図５】（Ａ）は台車本体１に第１商品仕切り板４及び第２商品仕切り板５を組み込む前の図、（Ｂ）は台車本体１に第１商品仕切り板４及び第２商品仕切り板５を組み込んだ後の図を示す。
【図６】（Ａ）は台車本体１に第１商品仕切り板４及び第２商品仕切り板５を組み込む前の他の図、（Ｂ）は台車本体１に第１商品仕切り板４及び第２商品仕切り板５を組み込んだ後の他の図を示す。
【図７】（Ａ）は台車本体１に第１商品仕切り板４及び第２商品仕切り板５を組み込む前の他の図、（Ｂ）は台車本体１に第１商品仕切り板４及び第２商品仕切り板５を組み込んだ後の他の図を示す。
【図８】（Ａ）は台車本体１に第１商品仕切り板４及び第２商品仕切り板５を組み込む前の他の図、（Ｂ）及び（Ｃ）は台車本体１に第１商品仕切り板４及び第２商品仕切り板５を組み込んだ後の他の図を示す。
【図９】本実施の形態例の商品陳列棚セットの概略斜視図である。
【図１０】本実施の形態例の商品陳列棚セットの他の概略斜視図である。
【図１１】本実施の形態例の商品陳列棚セットの他の概略斜視図である。
【図１２】従来の商品陳列棚セットの概略斜視図である。
【符号の説明】
【００２７】
１      台車本体
２      スカート部
３      キャスター
４      第１商品仕切り板
５      第２商品仕切り板
１０      商品陳列台車
１２      縦溝
１３      横溝
１４      周溝
１５      取っ手
１６      嵌合穴
２０      商品陳列棚
２１      支柱
２２      下方側方枠部材
２３      下方後方枠部材
２４、２４ａ      陳列空間
２５      最下段の陳列棚
２６〜２８  陳列棚
２９    ベース
３０    商品陳列棚セット
【図１】
0003112003.tif 000003
【図２】
0003112003.tif 000004
【図３】
0003112003.tif 000005
【図４】
0003112003.tif 000006
【図５】
0003112003.tif 000007
【図６】
0003112003.tif 000008
【図７】
0003112003.tif 000009
【図８】
0003112003.tif 000010
【図９】
0003112003.tif 000011
【図１０】
0003112003.tif 000012
【図１１】
0003112003.tif 000013
【図１２】
0003112003.tif 000014